(57)【要約】  本発明は、再使用のために再作動可能にされることができる疑似破砕性手榴弾に関し、内部位置と外部位置との間を動くプレート(９)に作用するばね（８）に結合された固定部(５)を含み、軸方向可動部（６）が固定部（５）を貫通し、軸方向可動部（６）は下部ばね（７）によって上方に押され、軸方向可動部（６）は機構（１４）によって回転作動されるロッド（１３）によって上端で軸方向に延長され、ロッド（１３）は、手榴弾本体の中央延長部（１６）に対して軸方向及び回転方向に動くことができるようにして外側に配置された制御ケース（１５、２７）に結合され、軸方向可動部（６）は、内側位置にプレート（９）を維持する手段を含み、プレート（９）は軸方向可動部（６）の動きに従って解放される。
2017534044.tif 000002
【特許請求の範囲】
【請求項１】
再使用のために再作動可能にされることができる爆発機能の作動を定める互いに結合された構成要素によって形成された疑似破砕性手榴弾であって、中央空間及び辺縁空間を内部に定める構造体を含み、前記辺縁空間は回転する閉鎖扉（４）を有し、前記中央空間に固定部（５）が配置され、前記辺縁空間に配置されたプレート（９）に対して作用する半径方向を向いたばね（８）が前記固定部（５）に取り付けられ、前記プレート（９）は、前記辺縁空間の内部位置と外部位置との間を動くことが可能であり、軸方向可動部（６）が前記固定部（５）を貫通し、前記軸方向可動部（６）は下部ばね（７）によって上方に押され、前記軸方向可動部（６）はそれに対して回転する回転ロッド（１３）によって上部において軸方向に延長され、前記回転ロッド（１３）は、回転作動機構（１４）に接続されると共にその一端で制御ケース（１５、２７）に結合され、前記制御ケース（１５、２７）は、前記構造体の中央延長部（１６）に対して軸方向及び回転方向に動くことができるようにして外側に配置され、前記軸方向可動部（６）は、前記辺縁空間の前記内部位置に前記プレート（９）を保持しかつ前記軸方向可動部（６）の動きに従ってその保持を解除するための保持手段を備えることを特徴とする、疑似破砕性手榴弾。
【請求項２】
前記制御ケース（１５）は、前記構造体の前記中央延長部（１６）の縦方向の溝（１８）に嵌る内向きに突き出た凸部（１７）をその周壁に有して、前記制御ケース（１５）の軸方向の動きを可能にし、前記縦方向の溝（１８）は前記中央延長部（１６）の基部に設けられた環状溝（１９）と繋がって、前記凸部（１７）は前記環状溝（１９）をスライドすることができ、前記制御ケース（１５）が軸方向に動く位置で前記制御ケース（１５）の回転が可能であることを特徴とする、請求項１に記載の疑似破砕性手榴弾。
【請求項３】
前記制御ケース（１５）の前記周壁は突起（２０）を有し、該突起（２０）は、前記凸部（１７）が前記構造体の前記中央延長部（１６）の前記環状溝（１９）内に配置される前記制御ケース（１５）の角度位置において、前記制御ケース（１５）の回転をブロックする取り外し可能な保持要素（２１）に隣接することを特徴とする、請求項２に記載の疑似破砕性手榴弾。
【請求項４】
前記保持要素（２１）は突出部（２２）間に配置され、前記保持要素（２１）は、前記保持要素（２１）の取り外しを可能にするために引き抜かれることができる横方向のピン（２３）によって固定されることを特徴とする、請求項３に記載の疑似破砕性手榴弾。
【請求項５】
前記辺縁空間の前記閉鎖扉（４）が、その回転アセンブリの位置に歯状リップ（１２）を有し、該歯状リップ（１２）はその縁で対応する前記プレート（９）と係合し、前記プレート（９）は前記辺縁空間の内部に配置された時に前記閉鎖扉（４）を閉鎖位置にすることを特徴とする、請求項１に記載の疑似破砕性手榴弾。
【請求項６】
前記プレート（９）はその内面に係合要素（１０）を有し、一方で前記軸方向可動部（６）は、前記プレート（９）に対向する位置に他の係合要素（１１）を有し、前記プレート（９）を前記辺縁空間の内部に保持するための連結を、前記係合要素（１０）と前記係合要素（１１）との間に構成することができることを特徴とする、請求項１に記載の疑似破砕性手榴弾。
【請求項７】
前記構造体は、柱（３）によって互いに結合された下部蓋（１）及び上部蓋（２）を含み、前記構造体の内部の前記中央空間及び前記辺縁空間は、前記柱（３）と前記下部蓋（１）及び前記上部蓋（２）との間に定められることを特徴とする、請求項１に記載の疑似破砕性手榴弾。
【請求項８】
前記軸方向可動部（６）の前記係合要素（１１）が突起（２５）を含み、擬似爆発効果をもたらすために、前記突起（２５）に爆発雷管が配置されて前記上部蓋（２）の下底に設けられたハウジング（２６）と衝突するようにされることを特徴とする、請求項７に記載の疑似破砕性手榴弾。
【請求項９】
前記構造体は、内部の前記辺縁空間へ爆弾金属片擬似要素を入れるための孔（２４）を有し、該孔（２４）は、栓又はいずれかの他の閉鎖手段で塞がれることができることを特徴とする、請求項１に記載の疑似破砕性手榴弾。
【請求項１０】
前記制御ケース（２７）は、前記上部蓋（２）の縦方向の溝（２９）に嵌まる半径方向外側に突き出た突起（２８）を有して、前記制御ケース（２７）の軸方向の動きを可能にし、前記縦方向の溝（２９）は、前記上部蓋（２）に設けられた環状溝（３０）と繋がって、前記突起（２８）は前記環状溝（３０）をスライドすることができ、前記制御ケース（２７）が軸方向に動く位置で前記制御ケース（２７）の回転が可能であることを特徴とする、請求項７に記載の疑似破砕性手榴弾。
【請求項１１】
前記制御ケース（２７）は、保持要素（２１）の付加部（３２）が嵌まることができる窓（３１）を有し、それにより前記突起（２８）が前記上部蓋（２）の前記環状溝（３０）に収容される前記制御ケース（２７）の角度位置において、前記制御ケース（２７）の回転をブロックすることを特徴とする、請求項１０に記載の疑似破砕性手榴弾。
【請求項１２】
前記制御ケース（１５、２７）は半径方向の突起（３３）を有し、該突起（３３）には、前記制御ケース（１５、２７）の半径方向の突起（３４）と衝突するようにして爆発雷管が配置されることができて、疑似の爆発効果を生じさせることを特徴とする、請求項７に記載の疑似破砕性手榴弾。
【請求項１３】
前記保持要素（２１）は、特に前記制御ケース（１５、２７）を覆うＬ形の延長部（３５）を含むことを特徴とする、請求項３又は１１に記載の疑似破砕性手榴弾。
【発明の詳細な説明】
【技術分野】
【０００１】
本発明は、本物の機能的概念を模倣した玩具を作ることに関し、組み立てが容易で簡単な構成を有し、再使用のために再作動可能にされることができる、本物の手榴弾の爆発作用を効果的に模倣することを可能にする機能的な機械的配置を備えた、疑似破砕性手榴弾を提案する。
【背景技術】
【０００２】
玩具製造の分野では、例えば武器などの本物を模倣した玩具を開発することがよく行われている。その成功は、玩具の目的に特有である玩具の条件の範囲内で、本物を模倣することによって玩具が現すことが可能な、模倣された本物へのデザインの類似性と見掛け上の機能効果の両方によって決まる。
【０００３】
ガス（ＣＯ2）、圧縮空気又は機械アセンブリの作動を基に開発された、本物の手榴弾の爆発作用を模倣した機能効果を備えた擬似手榴弾の様々な実施形態が、その点で知られている（例えば、特許文献１〜９）。
【０００４】
ガス又は圧縮空気の作動からなる方法は、手榴弾を再使用するためにユーザーによって補充されることができない空気又はガスの充填を必要とし、そして漏れ止めシールを交換するためのメンテナンスも必要とされるので、高価である。
【０００５】
機械的な方法は、維持がより安価であるが、既存の実施形態は非常に複雑であり、したがってユーザーが再使用のために再作動可能にすることが難しい。
【０００６】
手榴弾が使用される時に破壊操作を伴う実施形態もあり、そのため手榴弾は再使用されることができず、そのためそれは非常に高価であって、したがって広く受け入れられない方法である。
【先行技術文献】
【特許文献】
【０００７】
【特許文献１】米国特許第３８７８６３９号明細書
【特許文献２】米国特許第４９４４５２１号明細書
【特許文献３】米国特許第５３５４２２５号明細書
【特許文献４】米国特許第５８７７４４８号明細書
【特許文献５】米国特許第５９９６５０３号明細書
【特許文献６】米国特許出願公開第２００７／０２４９２６２号明細書
【特許文献７】米国特許第５９６４６３９号明細書
【特許文献８】米国特許出願公開第２０１２／０２６６８５３号明細書
【特許文献９】米国特許第４９３２３２９号明細書
【発明の概要】
【発明が解決しようとする課題】
【０００８】
本発明は、エアソフトとして知られる戦闘擬似ゲームに関連する用途のレクリエーション機能に非常に適した構造的及び機能的特徴を有する実施形態に従って開発された疑似破砕性手榴弾を提案する。
【課題を解決するための手段】
【０００９】
本発明のこの手榴弾は、柱によって互いに接続された下部蓋と上部蓋によって形成された構造体を含み、柱とそれらの蓋との間に中央空間及び辺縁空間を形成し、辺縁空間に対して回転する閉鎖扉が配置される。柱と一体化した固定部が中央空間に配置され、可動プレートに対して作用する半径方向を向いたばねが固定部に取り付けられる。可動プレートは、構造体内に収容されると共にそこから外に出ることができる。軸方向可動部が中央空間の固定部を貫通し、軸方向可動部は下部ばねによって上方に押され、軸方向可動部はそれに対して回転する回転ロッドによって上部において延長される。そのロッドは、回転作動機構に接続され、その端で上部蓋の中央延長部の外側に配置された制御ケースに結合される。
【００１０】
制御ケースは、上部蓋の中央延長部の縦方向の溝に嵌る内向きに突き出た凸部をその周壁において内部に有する。凸部は、縦方向の溝を、上部蓋の中央延長部の基部の環状溝までスライドすることができる。制御ケースの周壁は、外部において上部蓋から出る突出部の間に取り外し可能に配置されるブロック要素に隣接する外向きに突き出た突起を更に有する。
【００１１】
中央空間の固定部の半径方向を向いたばねが作用する可動プレートは、内部を向いた係合要素を有する。一方で軸方向可動部は、可動プレートに対向する位置に他の係合要素を有し、それは軸方向可動部の位置に従って、可動プレートの係合要素と連結することができる。
【００１２】
他方で、構造体の辺縁空間の回転する閉鎖扉は、回転する位置に歯状リップを有し、可動プレートが構造体内に収容される位置に動いた時に、対応する可動プレートの縁がそのリップと係合する。
【００１３】
これによって、戦略的に互いに結合された部品によって形成された機能アセンブリが得られ、そこでは輪郭の可動プレートが辺縁空間の閉鎖扉を閉じた位置に保つことを可能にする。輪郭の可動プレートは、中央の軸方向可動部によって、押しているばねに抗して内側へ動いた位置に保持される。軸方向可動部は、下部ばねが押すことに抗して、輪郭の可動プレートを保持する係合した位置に、上部蓋の中央延長部に接続した制御ケースによって維持される。制御ケースは、中央の軸方向可動部を延長する回転ロッドへ回転作動機構によって伝達される作動に抗して、保持要素によってブロックされた状態に維持される。
【００１４】
したがって、保持要素が取り外された時、上部蓋の中央延長部に対して軸方向に動く位置に到達するまで回転作動機構が制御ケースを回転させ、下部ばねが押すことにより中央の軸方向可動部の動きを可能にする。それによって、輪郭の可動プレートを保持するための係合は解除され、次に可動プレートはばねに押されて急に外側へ動く。可動プレートのその動きは、辺縁空間の閉鎖扉を開放位置に動かす。
【００１５】
このような状態で、手榴弾全体が完全に閉じられて可動プレートと閉鎖扉との間の辺縁空間が小さな爆弾金属片擬似要素で満たされていれば、手榴弾が急に開いた時に、可動プレートに押されて爆弾金属片擬似要素が放出される。それは保持要素が取り外された時点から起こり、その時にブロック位置から軸方向に動く位置までの制御ケースの回転をもたらす。
【００１６】
制御ケースの回転作動機構は、制御ケースが外側の保持要素によってブロックされる位置になった時に伸ばされるコイルばねによって作動されることが考えられる。回転作動機構は、制御ケースの急速な回転をもたらす直接的な駆動によって、又は制御ケースをゆっくりと回転させるギア駆動によって、制御ケースと接続される。後者の場合には、手榴弾の開放での遅れを定める。
【００１７】
手榴弾が開いた時、手榴弾のアセンブリ要素を閉鎖位置でのブロックが設定されるまで閉鎖位置に動かすことによって、再作動可能にされることができる。手榴弾の構造体に設けられる再充填孔を通して、爆弾金属片擬似要素を最充填することができる。
【００１８】
軸方向可動部の上側係合要素は、爆発雷管を受けるために与えられた突起を有し、一方で上部蓋の下底は、軸方向可動部の上側係合要素の突起と適合するハウジングを有する。軸方向可動部の軸方向の動きで突起が上部蓋のハウジングに衝突し、爆発雷管の爆発を引き起こし、それにより手榴弾の爆発を疑似する爆発音響効果が生じるようにされる。
【００１９】
そのため、構造的に簡単であり、したがって製造に対する費用対効果の高い手榴弾が得られる。それによって、手榴弾の構造体を破壊する爆発疑似によらずに、本物の手榴弾の爆発疑似の効率的な機能効果を達成する。それは、再使用のために容易に再作動可能にされることができるので、レクリエーションの物品として非常に満足できるものである。
【発明の効果】
【００２０】
上記に基づけば、本発明の疑似破砕性手榴弾は、その意図される機能に関して非常に有利な特徴を有し、今日存在する同じタイプの手榴弾での従来の方法に対して、新規かつ好ましいものである。
【図面の簡単な説明】
【００２１】
【図１】本発明による疑似破砕性手榴弾の第１実施形態の閉鎖状態での外観図である。
【図２】前図と同じ疑似破砕性手榴弾の縦断面の斜視図である。
【図３】相関した組立位置で分解した形で配置された保持要素を含む、手榴弾の斜視図である。
【図４】相関した組立位置で分解した形で配置された保持要素及び制御ケースを含む、開放状態での手榴弾の斜視図である。
【図５】前図の構成要素を備えた手榴弾の断面の側面図である。
【図６】組立位置に関して相関した位置で離された外側の保持要素を含む、開放した手榴弾の縦断面の斜視図である。
【図７】上部蓋の下で横方向断面にされた、開放した手榴弾の斜視図である。
【図８】下方位置から見た開放した手榴弾の斜視図である。
【図９】本発明による疑似破砕性手榴弾の第２実施形態の閉鎖状態での外観図である。
【図１０】相関した組立位置で分解した形で配置された保持要素及び制御ケースを含む、開放状態での第２実施形態の手榴弾の斜視図である。
【図１１】第２実施形態の手榴弾の別の斜視図である。
【図１２】図９の第２実施形態の手榴弾の上部蓋、制御ケース及び保持要素の底面の斜視図である。
【図１３】閉鎖及び作動可能位置で図９〜１２の構成要素を備えた手榴弾の断面の側面図である。
【図１４】開放位置で図９〜１２の構成要素を備えた手榴弾の断面の側面図である。
【発明を実施するための形態】
【００２２】
本発明の目的は、非破壊で爆発作用を効果的に模倣することを可能にし、再使用のために再作動可能にされることができる、機能的な実施形態にされた疑似破砕性手榴弾に関する。
【００２３】
図１及び図２に示されるように、本発明の疑似破砕性手榴弾は、柱（３）によって互いに結合された下部蓋（１）及び上部蓋（２）によって形成された構造体を含み、柱（３）と蓋（１）及び蓋（２）の間に中央空間及び辺縁空間を形成し、辺縁空間は回転する閉鎖扉（４）を有する。
【００２４】
柱（３）に取り付けられた固定部（５）が中央空間に配置され、軸方向可動部（６）が固定部（５）を貫通する。固定部（５）は、それを上方に押す下部ばね（７）で支持される。
【００２５】
図５に示されるように、柱（３）の間に定められる辺縁空間内へ半径方向に向かって突き出るばね（８）は、固定部（５）に取り付けられる。ばね（８）はプレート（９）に作用し、プレート（９）は、ばね（８）によって押されて構造体の周囲輪郭から外側に突き出た位置と、それぞれのばね（８）に抗して内側に引っ込められた位置との間を動くことができる。
【００２６】
プレート（９）はその内面に係合要素（１０）を有し、一方で軸方向可動部（６）は、プレート（９）に対向する位置に他の係合要素（１１）を有する。それにより軸方向可動部（６）の位置に従って、その係合要素（１１）はプレート（９）の係合要素（１０）に対して、ばね（８）に抗して内側に引っ込められた位置にプレート（９）を保持するために連結を構成し、そしてプレート（９）がそれぞれのばね（８）によって押されて外へ出るように連結を解除することができる。
【００２７】
図７に示されるように、辺縁空間の閉鎖扉（４）はその回転アセンブリの位置に歯状リップ（１２）を有し、それによりプレート（９）がばね（８）に抗して内側に引っ込んだ位置にされた時に、プレート（９）がその縁でそれぞれの扉（４）の歯状リップ（１２）と係合し、対応する辺縁空間を閉じて閉鎖位置に維持するために扉（４）を閉鎖位置に回転させる。
【００２８】
図２の断面図に示されるように、軸方向可動部（６）は、それに対して回転することができるロッド（１３）によって上部において軸方向に延長される。ロッド（１３）は、回転作動機構（１４）に接続され、一方でその端で上部蓋（２）の中央延長部（１６）の外側に配置された制御ケース（１５）に結合される。
【００２９】
制御ケース（１５）は、図４に示される上部蓋（２）の中央延長部（１６）の縦方向の溝（１８）に嵌る内向きに突き出た凸部（１７）をその周壁に有する。凸部（１７）は、上部蓋（２）の中央延長部（１６）が基部に有する環状溝（１９）まで、縦方向の溝（１８）をスライドすることができる。それにより制御ケース（１５）は、縦方向の溝（１８）をスライドする凸部（１７）によって軸方向に動くことができ、凸部（１７）が環状溝（１９）をスライドする位置にある時に回転することができ、凸部（１７）が環状溝（１９）に配置された時に軸方向の動きを防ぐ保持が確立される。
【００３０】
制御ケース（１５）の周壁は、上部蓋（２）から出る突出部（２２）の間に配置される保持要素（２１）に隣接する突起（２０）を更に有する。それにより制御ケース（１５）の周壁のその突起（２０）は、制御ケース（１５）が、その凸部（１７）が上部蓋（２）の中央延長部（１６）の環状溝（１９）内に配置されたある角度位置にある時に、上部蓋（２）の突出部（２２）の近くに配置され、そのため突出部（２２）間に保持要素（２１）を挿入した時に、保持要素（２１）は突起（２０）と隣接して、その位置で制御ケース（１５）をブロックして制御ケース（１５）が回転することを防ぐ。
【００３１】
保持要素（２１）は、制御ケース（１５）が回転することをブロックする、突出部（２２）間の挿入位置に、ピン（２３）によって固定されることができる。ピン（２３）は、本物の手榴弾の安全ピンのように、横方向に挿入されて、手榴弾の作動を解除する時に保持要素（２１）の取り外しを可能にするために引き抜かれなくてはならない。
【００３２】
図７及び図８に示されるように、手榴弾の爆発の擬似効果を実行するためには、軸方向可動部（６）の上部係合要素（１１）が、火薬を含有する爆発雷管が配置されることができる突起（２５）を有することが考えられる。一方で上部蓋（２）の下底は、軸方向可動部（６）の係合要素（１１）の突起（２５）と適合するハウジング（２６）を組み込み、それにより突起（２５）が上部蓋（２）のハウジング（２６）に衝突した時に爆発音響効果が生じるようにされる。
【００３３】
この場合、手榴弾が閉じられて作動可能にされた時にそれを使用するために、最初のステップでは、プレート（９）と閉鎖扉（４）の間の辺縁空間を小さな爆弾金属片擬似要素（不図示）で満たす。次に、突出部（２２）からピン（２３）が取り外され、手榴弾が投げられる。それにより手榴弾が地面に当たった時に保持要素（２１）が外れ、したがって保持要素（２１）はもはや制御ケース（１５）の突起（２０）に隣接せず、そのため制御ケース（１５）は回転作動機構（１４）の作動を介して自由に回転し、それによって制御ケース（１５）が、その凸部（１７）が上部蓋（２）の中央延長部（１６）の縦方向の溝（１８）と一致する角度位置に到達する。その結果、下部ばね（７）が押すことにより、制御ケース（１５）は軸方向可動部（６）及びロッド（１３）と一緒に軸方向に動き、それにより軸方向可動部（６）が動いた時に、軸方向可動部（６）の係合要素（１１）とプレート（９）の係合要素（１０）との間の連結が解除され、その保持が自由になり、そのためばね（８）が押すことによりプレート（９）が半径方向外側に動かされ、閉鎖扉（４）が開いて、爆発時のように爆弾金属片擬似要素が放出される。同時に、可動部（６）の軸方向の動きにおいて、突起（２５）が上部蓋（２）のハウジング（２６）と衝突し、爆発雷管の爆発をもたらして爆発音響効果が生じる。
【００３４】
手榴弾の辺縁空間に爆弾金属片擬似要素を入れるための孔（２４）が与えられる。その孔は、爆弾金属片擬似要素が入れられた後に、栓又はいずれかの他の閉鎖手段で塞がれることができる。充填用の孔（２４）は、手榴弾の構造体のいずれかの部分、例えば下部蓋（１）に配置されることができ、再使用のために手榴弾を再作動可能にした後に、ユーザー自身が手榴弾を再充填することを可能にする。
【００３５】
回転作動機構（１４）は、制御ケース（１５）を素早く回転させる動力伝達装置によって制御ケース（１５）と接続される。それによって保持要素（２１）が外された時に、手榴弾の爆発の開放が起こる。回転作動機構（１４）は、制御ケース（１５）をゆっくりと回転させる動力伝達装置によって制御ケース（１５）と接続されることも可能であり、それは制御ケース（１５）の回転、したがって手榴弾の爆発の開放での遅れを定めて、手榴弾を投げる前に保持要素（２１）を取り外すことを可能にする。
【００３６】
加えて、可動プレート（９）を、例えば黄色などの手榴弾が使用される周囲の色から浮き出て見える目立つ色にすることが考えられる。それにより、手榴弾が使用された場所で爆発した時に、手榴弾を見つけるのがより容易である。
【００３７】
図９〜１４は、本発明の疑似破砕性手榴弾の第２実施形態を示す。この第２実施形態では、図１〜８の実施形態に対して、上部蓋（２）の内側、制御ケース（１５）及び保持要素（２１）が変更されている。第２実施形態の手榴弾の残りの要素は第１実施形態のものと同じであり、従って同じ参照番号が同一の要素を示すために使用される。
【００３８】
図１０〜１２に示されるように、本発明の第２実施形態は、外面上で半径方向外側に突き出た突起（２８）を有する制御ケース（２７）を含む。図１０及び１１に示されるように、突起（２８）は、上部蓋（２）の縦方向の溝（２９）に嵌るようになっている。突起（２８）は、上部蓋（２）に設けられた環状溝（３０）まで縦方向の溝（２９）をスライドすることができる。それにより制御ケース（２７）は、縦方向の溝（２９）をスライドする突起（２８）によって軸方向に動き、突起（２８）が環状溝（３０）をスライドする位置にある時に回転することができ、突起（２８）が環状溝（３０）に配置された時に制御ケース（２７）の軸方向の動きを防ぐ保持が確立される。
【００３９】
制御ケース（２７）は、上部蓋（２）の突出部（２２）の間に配置される保持要素（２１）の付加部（３２）が嵌まることができる窓（３１）を更に含む。それにより、制御ケース（２７）の窓（３１）は、制御ケース（２７）が、その突起（２８）が上部蓋（２）の環状溝（３０）内に配置されたある角度位置にある時に、上部蓋（２）の突出部（２２）に向かって配置され、そのため突出部（２２）間に保持要素（２１）を挿入した時に、保持要素（２１）の付加部（３２）は窓（３１）に嵌って、その位置で制御ケース（２７）をブロックし、従って制御ケース（２７）が回転することを防ぐ。
【００４０】
手榴弾の爆発の作用を疑似するために、図７及び８に示されるハウジング（２６）と衝突する突起（２５）を使用する代わりに、制御ケース（１５、２７）が、火薬を含有する爆発雷管が配置されることができる半径方向の突起（３３）を有し、一方で上部蓋（２）は、半径方向の突起（３３）を受けるように構成された軸方向の突起（３４）を有することが考えられる。それにより、制御ケース（１５、２７）が回転する時、制御ケース（１５、２７）の半径方向の突起（３３）と上部蓋（２）の軸方向の突起（３４）との間での衝突が起こり、爆発雷管の爆発により音響効果が生じるようにされる。
【００４１】
保持要素（２１）は、保持要素（２１）の上端部の延長部である、手榴弾での組み立てられた配置で制御ケース（１５,２７）を部分的に覆うＬ形の延長部（３５）を更に含むことができる。それにより手榴弾が投げられた時、この延長部（３５）は地面と接触するより大きな面を作り出して、手榴弾の爆発が起こることができるように保持要素（２１）の取り外しに有利に働く。更に、この構成では、手榴弾の構造体から保持要素（２１）が完全に外れず、そのため手榴弾を投げた後に活動場所での保持要素（２１）の紛失が防がれる。
【００４２】
この場合、図１３に示されるように、第２実施形態の手榴弾が閉じられて作動可能にされた時にそれを使用するために、最初のステップでは、プレート（９）と閉鎖扉（４）の間の辺縁空間を小さな爆弾金属片擬似要素（不図示）で充填する。次に、突出部（２２）からピン（２３）が取り外され、手榴弾が投げられる。それにより保持要素（２１）の延長部（３５）が地面に当たった時に保持要素（２１）が横方向に動き、したがって保持要素（２１）の付加部（３２）は、もはや制御ケース（２７）の窓（３１）に嵌っていない。
【００４３】
そのため、制御ケース（２７）は回転作動機構（１４）の作動を介して自由に回転し、それによって制御ケース（２７）の突起（２８）が上部蓋（２）の縦方向の溝（２９）と一致する角度位置に到達するまで、制御ケース（２７）の突起（２８）が上部蓋（２）の環状溝（３０）をスライドする。
【００４４】
その時点で、図１４に示されるように、下部ばね（７）が押すことにより、制御ケース（２７）は軸方向可動部（６）及びロッド（１３）と一緒に軸方向に動き、それにより軸方向可動部（６）が動いた時に、軸方向可動部（６）の係合要素（１１）とプレート（９）の係合要素（１０）との間の連結が解除され、その保持が自由になり、そのためばね（８）が押すことによりプレート（９）が半径方向外側に動かされ、閉鎖扉（４）が開いて、爆発時のように爆弾金属片擬似要素が放出される。
【００４５】
制御ケース（２７）がその軸方向の動きを開始する直前に、制御ケース（２７）の半径方向の突起（３３）は、上部蓋（２）の軸方向の突起（３４）と衝突し、爆発雷管の爆発をもたらして爆発音響効果が生じる。
【符号の説明】
【００４６】
１      下部蓋
２      上部蓋
３      柱
４      閉鎖扉
５      固定部
６      軸方向可動部
７      下部ばね
８      ばね
９      プレート
１０    係合要素
１１    係合要素
１２    歯状リップ
１３    ロッド
１４    回転作動機構
１５    制御ケース
１６    中央延長部
１７    凸部
１８    縦方向の溝
１９    環状溝
２０    突起
２１    保持要素
２２    突出部
２３    ピン
２４    孔
２５    突起
２６    ハウジング
２７    制御ケース
２８    突起
２９    縦方向の溝
３０    環状溝
３１    窓
３２    付加部
３３    半径方向の突起
３４    軸方向の突起
３５    延長部
【図１】
2017534044.tif 000003
【図２】
2017534044.tif 000004
【図３】
2017534044.tif 000005
【図４】
2017534044.tif 000006
【図５】
2017534044.tif 000007
【図６】
2017534044.tif 000008
【図７】
2017534044.tif 000009
【図８】
2017534044.tif 000010
【図９】
2017534044.tif 000011
【図１０】
2017534044.tif 000012
【図１１】
2017534044.tif 000013
【図１２】
2017534044.tif 000014
【図１３】
2017534044.tif 000015
【図１４】
2017534044.tif 000016
【国際調査報告】
2017534044.tif 000017
2017534044.tif 000018
2017534044.tif 000019
2017534044.tif 000020
2017534044.tif 000021
2017534044.tif 000022